(57)【要約】【課題】  散水管がビニルハウス等に固定された状態でも着脱可能であり、かつ、散水管に散水孔を容易に形成可能にする補強部材等を提供する。【解決手段】  散水管３の外面の一部を覆って補強する補強部材１であって、長手方向の断面において、散水管３の外側を覆い、両端（符号１３及び１５）が前記散水管の外面に接し、両端（符号１３及び１５）の間は接しない空間形成部１１と、散水管の外面の形状に沿って空間形成部１１の一端１３から延びる第１側部１７と、散水管３の外面の形状に沿って空間形成部１１の他端１５から延びる第２側部２５を備える。【選択図】  図１
2018162849.tif 000002
【特許請求の範囲】
【請求項１】
散水管の外面の一部を覆って補強する補強部材であって、
当該補強部材は、長手方向の断面において、
前記散水管の外側を覆い、両端が前記散水管の外面に接し、両端の間は接しない空間形成部と、
前記散水管の外面の形状に沿って前記空間形成部の一端から延びる第１側部と、
前記散水管の外面の形状に沿って前記空間形成部の他端から延びる第２側部を備える補強部材。
【請求項２】
前記散水管は、散水孔を備え、
前記空間形成部は、前記散水孔を覆わず、
前記第１側部は、前記散水管の外面の形状に沿って前記空間形成部の一端から前記散水孔までの一部又は全部を覆い、
前記第２側部は、前記散水管の外面の形状に沿って前記空間形成部の他端から前記散水孔までの一部又は全部を覆い、
前記散水管は、平面部のない筒状であり、
前記空間形成部の外面の一部は平面であり、
前記散水孔を延長した直線は、前記空間形成部の外面の平面と交わる、請求項１記載の補強部材。
【請求項３】
前記第１側部と前記第２側部は、前記空間形成部とは異なる端に、外側に形成された溝部を備え、
固定部材が、当該補強部材が前記散水管を補強した状態で前記第１側部と前記第２側部の溝部に掛止することによって固定する、請求項１又は２に記載の補強部材。
【請求項４】
散水管に散水孔を形成する散水孔形成方法であって、
前記散水管は、補強部材によって外面の一部が覆われ、
前記補強部材は、長手方向の断面において、
前記散水管の外側を覆い、両端が前記散水管の外面に接し、両端の間は接しない空間形成部と、
前記散水管の外面の形状に沿って前記空間形成部の一端から延びる第１側部と、
前記散水管の外面の形状に沿って前記空間形成部の他端から延びる第２側部を備え、
前記補強部材が覆った状態の散水管において、前記補強部材によって覆われていない部分に散水孔を形成するステップを含む散水孔形成方法。
【発明の詳細な説明】
【技術分野】
【０００１】
本願発明は、補強部材及び散水孔形成方法に関し、特に、散水孔が形成された散水管を外側から補強する補強部材等に関する。
【背景技術】
【０００２】
出願人らは、特許文献１において、散水孔が形成された散水管であって、管外面に平面部分が形成されたものを提案した。
【先行技術文献】
【特許文献】
【０００３】
【特許文献１】特開２０１６−２１８９６号公報
【発明の概要】
【発明が解決しようとする課題】
【０００４】
しかしながら、特許文献１記載の技術によれば、平面部分が形成された特殊な形状を使用するものであった。そのため、散水孔が形成された散水管として、円柱状のような塩ビパイプが使用される場合に、直接応用することが難しかった。
【０００５】
塩ビパイプは、通常、ビニルハウス等の支柱等に、間隔をあけて固定される。そのため、時間の経過にともない、ビニルハウス等の支柱等に固定した部分はそのままの位置にあるが、これらの間で固定されていない部分がたわんで下がり、散水管としての性能が劣化する。
【０００６】
これを避けるためには、例えば、剛性の高い部材で塩ビパイプ全体を覆い、そのうえでビニルハウス等の支柱等に固定することが考えられる。しかしながら、散水孔が形成された塩ビパイプの場合、全体を覆ってしまうと散水孔から散水することができない。さらに、塩ビパイプ全体を覆ってから支柱等に固定するため、設置後に補強するためには、塩ビパイプを支柱等から外して補強して改めて支柱等に取り付けるなどの作業が必要になる。
【０００７】
また、散水管を設置するときには、塩ビパイプに散水孔となる穴を開ける必要がある。工場などでは、円柱状の塩ビパイプでも、容易に穴を開けることができる。しかしながら、ビニルハウス等の現場では、円柱状の塩ビパイプに穴を開けることは、反対側が曲面で安定せず、困難であった。
【０００８】
そこで、本願発明は、散水管がビニルハウス等の支柱等に間隔をあけて固定された状態で着脱して固定された部分の間を補強することができ、かつ、散水管に散水孔を容易に形成可能にする補強部材等を提供することを目的とする。
【課題を解決するための手段】
【０００９】
本願発明の第１の観点は、散水管の外面の一部を覆って補強する補強部材であって、当該補強部材は、長手方向の断面において、前記散水管の外側を覆い、両端が前記散水管の外面に接し、両端の間は接しない空間形成部と、前記散水管の外面の形状に沿って前記空間形成部の一端から延びる第１側部と、前記散水管の外面の形状に沿って前記空間形成部の他端から延びる第２側部を備えるものである。
【００１０】
本願発明の第２の観点は、第１の観点の補強部材であって、前記散水管は、散水孔を備え、前記空間形成部は、前記散水孔を覆わず、前記第１側部は、前記散水管の外面の形状に沿って前記空間形成部の一端から前記散水孔までの一部又は全部を覆い、前記第２側部は、前記散水管の外面の形状に沿って前記空間形成部の他端から前記散水孔までの一部又は全部を覆い、前記散水管は、平面部のない筒状であり、前記空間形成部の外面の一部は平面であり、前記散水孔を延長した直線は、前記空間形成部の外面の平面と交わるものである。
【００１１】
本願発明の第３の観点は、第１又は第２の観点の補強部材であって、前記第１側部と前記第２側部は、前記空間形成部とは異なる端で、外側に形成された溝部を備え、固定部材が、当該補強部材が前記散水管を補強した状態で前記第１側部と前記第２側部の溝部に掛止することによって固定するものである。
【００１２】
本願発明の第４の観点は、散水管に散水孔を形成する散水孔形成方法であって、前記散水管は、補強部材によって外面の一部が覆われ、前記補強部材は、長手方向の断面において、前記散水管の外側を覆い、両端が前記散水管の外面に接し、両端の間は接しない空間形成部と、前記散水管の外面の形状に沿って前記空間形成部の一端から延びる第１側部と、前記散水管の外面の形状に沿って前記空間形成部の他端から延びる第２側部を備え、前記補強部材が覆った状態の散水管において、前記補強部材によって覆われていない部分に散水孔を形成するステップを含むものである。
【００１３】
なお、本願発明を、散水管と補強部材を備える補強システムとして捉えてもよい。また、補強部材は、例えば金属のように、散水管よりも剛性が高いものとして捉えてもよい。
【発明の効果】
【００１４】
本願発明の各観点によれば、第１側部と第２側部で散水管の外側を覆うことにより、散水管を補強して、曲がりを防いだり、曲がりを矯正したりすることができる。ここで、第１側部と第２側部との間には隙間があるために、散水孔を塞がずに補強できるとともに、散水管がビニルハウス等の支柱等に間隔をあけて固定された状態でも、固定された部分の間に、この隙間を利用して着脱することができる。さらに、空間形成部に空間があることを利用して、容易に取り外すことができる。
【００１５】
さらに、補強部材には空間形成部があるために、散水管の断面形状と補強部材の断面形状とは異なる。そのため、散水管が円柱や楕円柱などの平面形状のないパイプで、ビニルハウス等の現場において平面においたときに安定しないものであっても、空間形成部を利用して安定させることができる。特に、第２の観点にあるように、空間形成部の外面に平面部を設けることにより、空間形成部の平面部を下にして置いて、第１側部と第２側部の間の隙間を安定して上にある状態にし、散水管に空間形成部の平面部に向けて散水孔を容易に形成することができる。
【００１６】
さらに、第３の観点によれば、第１側部や第２側部に溝部を形成することにより、着脱を容易にするとともに散水管の着脱時に散水管が傷つくことを防ぐ。さらに、これらの溝部を利用して固定部材により固定して、より強く補強することができる。
【図面の簡単な説明】
【００１７】
【図１】本願発明の実施の形態に係る補強部材の一例を示す図である。
【図２】本願発明の実施の形態に係る補強部材の試作品を示す第１図である。
【図３】本願発明の実施の形態に係る補強部材の試作品を示す第２図である。
【発明を実施するための形態】
【００１８】
以下、本願発明の実施の形態について説明する。なお、本願発明は、下記の実施例に限定されるものではない。
【実施例】
【００１９】
図１は、本願発明の実施の形態に係る補強部材の一例を示す図である。図２及び図３は、試作品を示す図である。
【００２０】
図１（ａ）は、補強部材の長手方向の断面を示す。補強部材１は、散水孔５が形成された散水管３の外面の一部を覆うことにより、散水管３を補強する。補強部材１は、空間形成部１１（本願請求項の「空間形成部」の一例）と、散水管３の外面の形状に沿って空間形成部１１の一端１３から延びる第１側部１７と、散水管３の外面の形状に沿って空間形成部１１の他端１５から延びる第２側部２５を備える。第１側部１７と第２側部２５とは、図１の下側に隙間が形成されている。そのため、散水孔５を塞がない。さらに、散水管３がビニルハウス等の支柱等に間隔をあけて固定されるとき、散水管３は、時間が経つにつれて、固定された箇所の間の固定されていない部分で曲がる。補強部材１は、この隙間を利用して、固定されていない部分に着脱して、散水管の曲がりを防いだり、曲がりを矯正したりすることができる。さらに、空間形成部に空間があることを利用して、容易に取り外すことができる。
【００２１】
空間形成部１１は、その両端（符号１３及び１５）で、散水管３の外面に接し、両端（符号１３及び１５）の間では接しない。そのため、補強部材１の外面形状は、散水管３の外面形状とは異なるものとすることができる。特に、外面に平面部を形成することにより、散水管３が円柱等の平面部がない形状であっても、空間形成部１１の平面部を利用して、平面に安定して置くことができる。そのため、ビニルハウス等の現場において、安定した状態で散水孔５を形成することができる。現場で新たに散水孔５を形成するときには、例えば、第１側部１７と第２側部２５の間の隙間に見える散水管３に、ドリル等で、空間形成部１１の平面部に向けて孔をあける（すなわち、新たにあける散水孔を延長した直線は、空間形成部の外面の平面と交わるものである）ことにより、容易に作業を行うことができる。
【００２２】
さらに、散水管３の着脱時には、空間形成部１１（特に、両端１３及び１５）により第１側部及び第２側部は容易に広がり、着脱作業を容易にすることができる。特に、散水管３を取り外すときには、空間形成部１１が散水管３の外面に接していないところに部材を入れて外すことができる。
【００２３】
さらに、第１側部１７は、空間形成部１１の一端１３とは異なる側に、外側に広がる部分１９と、さらに、反対（図１の上側）に延びる部分２１があることにより、第１溝部２３が形成されている。同様に、第２側部２５は、空間形成部１１の他端１５とは異なる側に、外側に広がる部分２７と、さらに、反対（図１の上側）に延びる部分２９があることにより、第２溝部３１が形成されている。これにより、第１側部１７と第２側部２５との間の隙間を利用して散水管３を傷つけずに容易に着脱できるとともに、図３を参照して説明するように固定部材を利用した強固な固定を可能にする。
【００２４】
図１（ｂ）及び（ｃ）は、本願発明の実施の形態に係る補強部材の具体例を示す。（ｂ）は正面図であり、（ｃ）は斜視図である。
【００２５】
図２は、出願人が作成した試作品を示す。試作品は、円柱状の塩ビパイプを補強する。（ａ）及び（ｃ）は空間形成部の側から、斜め上方から写したもの、（ｂ）及び（ｄ）は第１側部と第２側部の間の隙間の側から、斜め上方から写したものである。
【００２６】
図２（ｅ）及び（ｆ）は、試作品で、円柱状の塩ビパイプを入れたものである。（ｅ）にあるように、第１側部と第２側部の間の隙間に塩ビパイプを入れることができる。これにより、（ｆ）にあるように、容易に取り付けることができる。
【００２７】
図３は、試作品における固定部材による固定の一例を示す。図３（ａ）は、固定部材の一例を示す。試作品では、固定部材は、第１掛止部４１と、第１掛止部４１の両端から延びる２つの第２掛止部４３1及び４３2を備える。第１側部と第２側部の間の隙間で、第１係止部４１を第１側部の溝部に掛止し、第２係止部４３を第２側部の溝部に掛止することにより、固定することができる。固定部材の取り付けも取り外しも、第２掛止部４３1と４３2とを近づけると容易に作業をすることができる。
【００２８】
図３（ｂ）は、散水管を補強部材で補強し、かつ、固定部材により固定した状態を示す。空間形成部１１の外面の平面部を利用して置くことにより、円柱状の塩ビパイプであっても安定して置くことができ、この状態で、第１側部と第２側部の間の隙間に散水孔４５1及び４５2を形成することができる。
【００２９】
図３（ｃ）及び（ｄ）は、それぞれ、第１掛止部４１及び第２掛止部４３が、第１側部及び第２側部の溝部に掛止した部分を拡大したものである。
【符号の説明】
【００３０】
１  補強部材、３  散水管、５  散水孔、１１  空間形成部、１３，１５  空間形成部の両端、１７  第１側部、１９，２７  外側に延びる部分、２１，２９  反対側に延びる部分、２３  第１溝部、２５  第２側部、３１  第２溝部、４１  第１掛止部、４３  第２掛止部
【図１】
2018162849.tif 000003
【図２】
2018162849.tif 000004
【図３】
2018162849.tif 000005